(57)【要約】      （修正有）【課題】溶接プロセス後に利用することができ且つコスト及び／又は複雑さが低減された、溶接部が所望の機械的特性を有するか否かを評価するための装置及び方法を提供する。【解決手段】風力タービンシステムの形成溶接１１４を分析する装置２０２は、ゲージ２０６と、第１の部材２０４と、第２の部材２０８と、第３の部材２１４とを含む。ゲージ２０６は距離を測定する。第２の部材２０８は、第１の部材２０４に取り付けられ、形成溶接１１４の第１の側部２１２上の第１の表面２１０に解除可能に取り付けられる。第３の部材２１４は、第１の部材２０４に取り付けられ、形成溶接１１４の第２の側部２１８上の第２の表面２１６に解除可能に取り付けられる。装置２０２は、複数の位置にてゲージ２０６を位置決めし、複数の寸法を測定することにより溶接部１１４の品質を判定する。【選択図】図２
2011017702.tif 000002
【特許請求の範囲】
【請求項１】
風力タービンシステム（１００）の形成溶接（１１４）を分析する装置（２０２）であって、
距離を測定するゲージ（２０６）と、
前記ゲージ（２０６）を受けるよう構成された第１の部材（２０４）と、
前記第１の部材（２０４）に取り付けられ、前記形成溶接（１１４）の第１の側部（２１２）上の第１の表面（２１０）に解除可能に取り付けるよう構成された第２の部材（２０８）と、
前記第１の部材（２０４）に取り付けられ、前記形成溶接（１１４）の第２の側部（２１８）上の第２の表面（２１６）に解除可能に取り付けるよう構成された第３の部材（２１４）と、
を備え、
前記ゲージ（２０６）が、前記第１の部材（２０４）上の複数の位置に位置決め可能であり、前記複数の位置が、前記第２の部材（２０８）に近接し且つ前記第３の部材（２１４）から遠位にある第１の位置（２２０）と、前記第３の部材（２１４）に近接し且つ前記第２の部材（２０８）から遠位にある第２の位置（２２２）とを含み、前記装置（２０２）が、前記複数の位置にて前記ゲージ（２０６）を位置決めし、前記第１の部材（２０４）から前記第１の表面（２１０）及び前記第２の表面（２１６）の各々までの複数の寸法を測定することにより、前記溶接部（１１４）の品質を判定するよう構成されている、
装置（２０２）。
【請求項２】
前記第２の部材（２０８）及び前記第３の部材（２１４）が実質的に同じである、
請求項１に記載の装置（２０２）。
【請求項３】
前記第２の部材（２０８）及び前記第３の部材（２１４）の各々が、少なくとも１つの磁石を含み、該磁石が前記第１の表面（２１０）及び前記第２の表面（２１６）の一方又は両方に取り付け可能である、
請求項１又は２に記載の装置（２０２）。
【請求項４】
前記第１の表面（２１０）に解除可能に取り付けるよう構成された前記第２の部材（２０８）が、第１の複数の位置において前記第１の表面（２１０）に当接するよう構成されている、
請求項１乃至３のいずれか１項に記載の装置（２０２）。
【請求項５】
前記第１の表面（２１０）に解除可能に取り付けるよう構成された前記第３の部材（２１４）が、第２の複数の位置において前記第１の表面（２１０）に当接するよう構成されている、
請求項４に記載の装置（２０２）。
【請求項６】
前記第２の部材（２０８）及び前記第３の部材（２１４）の一方だけが、前記第１の表面（２１０）に解除可能に取り付けられる、
請求項１に記載の装置（２０２）。
【請求項７】
前記装置（２０２）は、前記ゲージ（２０６）を前記第１の位置（２２０）及び前記第２の位置（２２２）にて位置決めし起動するよう構成されており。前記ゲージ（２０６）が、前記第１の位置（２２０）において前記第１の部材（２０４）から前記第１の表面（２１０）までの第１の距離（２２４）と、前記第２の位置（２２２）において前記第１の部材（２０４）から前記第２の表面（２１６）までの第２の距離（３０２）とを比較するよう構成されている、
請求項１乃至６のいずれか１項に記載の装置（２０２）。
【請求項８】
前記装置（２０２）が、第３の位置（３０６）にて前記ゲージ（２０６）を位置決めし起動するよう構成することによって、前記形成溶接（１１４）を分析するよう構成される、
請求項７に記載の装置（２０２）。
【請求項９】
前記装置（２０２）が、第４の位置（３１０）にて前記ゲージ（２０６）を位置決めし起動するよう構成することによって、前記形成溶接（１１４）を分析するよう構成される、
請求項８に記載の装置（２０２）。
【請求項１０】
前記第１の表面（２１０）及び前記第２の表面（２１６）を含む第１の基材を備え、該第１の基材と前記形成溶接（１１４）が全体的に円筒体を形成し、該円筒体が前記風力タービンシステム（１００）用のタワー（１０４）の一部を形成する、
請求項１乃至９のいずれか１項に記載の装置（２０２）。
【発明の詳細な説明】
【技術分野】
【０００１】
本開示は、全体的に、溶接を分析するための装置及び方法に関する。詳細には、本開示は、溶接部形成後の風力タービンタワー上のオフセット又は他の望ましくない溶接部を分析するための装置及び方法に関する。
【背景技術】
【０００２】
一般に、風力タービンは、ハブを介して発電機ロータに結合された複数のブレードを含むことができる。発電機ロータは、タービンタワー又は基部の頂部に位置付けることができるハウジング又はナセルに装着することができる。ハブ及びブレードは、風力タービンロータを形成することができる。電力事業グレードの風力タービン（例えば、電力供給網に電力を供給するよう設計された風力タービン）は、大型の風力タービンロータ（例えば、３０メートル又はそれ以上の直径）を有することができる。これらの風力タービンロータ上に回転可能に結合されたブレードは、風力エネルギーを１つ又はそれ以上の発電機のロータを駆動する回転トルク又は力に変換することができる。
【０００３】
タワーもしくは基部、或いは風力タービンの他の部分は、溶接により互いに固定されるセクションを含むことができる。これらの溶接は、２つの表面を共に固定することができる。例えば、円筒形セクションは、別の円筒形セクションのすぐ下に固定され、これによりタワーの一部を形成することができる。下側セクション及び上側セクションは、互いに溶接することができる。
【０００４】
溶接部分は、多くの物理的力に曝される可能性がある。例えば、溶接されたタワー構成部品は、風力タービンが揺動すると圧縮力及び引張力を周期的に生じる場合がある。加えて、物理的な力は、限定ではないが、環境的影響、作動上の影響、及び／又は変化する条件に対する曝露を含む、他の要因により発生する場合がある。溶接構成部品の溶接が正常に行われなかった場合、当該部品は故障の影響をより受けやすい可能性がある。例えば、風により与えられる力、及び／又は風力タービン上のブレードの回転により与えられる力は、風力タービンにおいてタワーにかかる疲労負荷を生成する可能性がある。この疲労は、溶接故障及び風力タワーの故障を引き起こす場合がある。
【０００５】
一般に、部品が溶接されると、溶接プロセスの間に所望の機械的特性を溶接部が有するか否かを分析する方法が実施され、すなわち、これには複雑で高価な分析機器を必要とする。
【０００６】
必要とされていることは、溶接プロセス後に利用することができ且つコスト及び／又は複雑さが低減された、溶接部が所望の機械的特性を有するか否かを評価するための装置及び方法である。
【発明の概要】
【０００７】
例示的な実施形態において、風力タービンシステムの形成溶接を分析する装置は、距離を測定するゲージと、ゲージを受けるよう構成された第１の部材と、第１の部材に取り付けられ、形成溶接の第１の側部上の第１の表面に解除可能に取り付けるよう構成された第２の部材と、第１の部材に取り付けられ、形成溶接の第２の側部上の第２の表面に解除可能に取り付けるよう構成された第３の部材とを含む。実施形態において、ゲージは、第１の部材上の複数の位置に位置決め可能であり、該複数の位置は、第２の部材に近接し且つ第３の部材から遠位にある第１の位置と、第３の部材に近接し且つ第２の部材から遠位にある第２の位置とを含む。加えて、装置は、複数の位置にてゲージを位置決めし、第１の部材から第１の表面及び第２の表面の各々までの複数の寸法を測定することにより、溶接部の品質を判定するよう構成されている。
【０００８】
第２の部材及び第３の部材は実質的に同じとすることができる。第２の部材及び第３の部材の各々は、少なくとも１つの磁石を含み、該磁石が第１の表面及び第２の表面の一方又は両方に取り付け可能である。１つの実施形態は、第２の部材及び第３の部材の一方だけが、第１の表面に解除可能に取り付けられる装置を含むことができる。第２の部材が第１の表面に解除可能に取り付けるよう構成されている装置は、第１の複数の位置において第１の表面に当接するよう構成されている第２の部材を含むことができる。第３の部材が第１の表面に解除可能に取り付けるよう構成された装置は、第２の複数の位置において第１の表面に当接するよう構成された第３の部材を含むことができる。
【０００９】
本装置は、ゲージを第１の位置及び第２の位置にて位置決めし起動するよう構成することができ、該ゲージは、第１の位置において第１の部材から第１の表面までの第１の距離と、第２の位置において第１の部材から第２の表面までの第２の距離とを比較するよう構成されている。本装置は、第３の位置にてゲージを位置決めし起動するよう構成することによって、形成溶接を分析するよう構成することができる。本装置は、第４の位置にてゲージを位置決めし起動するよう構成することによって、形成溶接を分析するよう更に構成することができる。
【００１０】
第１の基材は第１の表面を含むことができ、第２の基材は第２の表面を含むことができる。第１の基材は、第１の表面及び第２の表面を含むことができる。第１の基材及び形成溶接は、全体的に円筒体を形成することができる。円筒体は、風力タービンシステム用のタワーの一部を形成することができる。
【００１１】
別の例示的な実施形態において、風力タービンシステムの形成溶接を分析する装置は、距離を測定するゲージと、ゲージを受けるよう構成された第１の部材と、第１の部材に取り付けられ、形成溶接の第１の側部上の第１の表面に解除可能に取り付けるよう構成された第２の部材と、第１の部材に取り付けられ、形成溶接の第２の側部上の第２の表面に解除可能に取り付けるよう構成された第３の部材とを含む。実施形態において、ゲージは、第１の部材上の複数の位置に位置決め可能であり、該複数の位置は、第２の部材に近接し且つ第３の部材から遠位にある第１の位置と、第３の部材に近接し且つ第２の部材から遠位にある第２の位置とを含み、本装置は、複数の位置にてゲージを位置決めし、第１の部材から第１の表面及び第２の表面の各々までの複数の寸法を測定することにより、溶接部の品質を判定するよう構成され、第１の表面に解除可能に取り付けるよう構成されている第２の部材が、第１の複数の位置において第１の表面に当接するよう構成されている第２の部材を含み、第１の表面に解除可能に取り付けるよう構成された第３の部材が、第２の複数の位置において第１の表面に当接するよう構成された第３の部材を含み、本装置は、ゲージを第１の位置及び第２の位置にて位置決めし起動するよう構成され、該ゲージは、第１の位置において第１の部材から第１の表面までの第１の距離と、第２の位置において第１の部材から第２の表面までの第２の距離とを比較するよう構成されており、本装置は、第３の位置にてゲージを位置決めし起動するよう構成することによって、形成溶接を分析するよう構成され、更に本装置は、第４の位置にてゲージを位置決めし起動するよう構成することによって、形成溶接を分析するよう構成される。
【００１２】
別の例示的な実施形態において、風力タービンシステムの形成溶接を分析する方法は、距離を測定するゲージと、ゲージを受けるよう構成された第１の部材と、第１の部材に取り付けられ、形成溶接の第１の側部上の第１の表面に解除可能に取り付けるよう構成された第２の部材と、第１の部材に取り付けられ、形成溶接の第２の側部上の第２の表面に解除可能に取り付けるよう構成された第３の部材とを含む装置を準備する段階を含む。本方法は、ゲージが、第１の部材上の複数の位置に位置決め可能であることを含むことができ、該複数の位置は、第２の部材に近接し且つ第３の部材から遠位にある第１の位置と、第３の部材に近接し且つ第２の部材から遠位にある第２の位置とを含む。本方法はまた、装置が、複数の位置にてゲージを位置決めし、第１の部材から第１の表面及び第２の表面の各々までの複数の寸法を測定することにより、溶接部の品質を判定するよう構成されていることを含むことができる。本方法はまた、ゲージを第１の位置に位置決めして起動し、
第１の位置にて第１の部材から第１の表面までの第１の距離を求める段階と、ゲージを第２の位置に位置決めして起動し、第２の位置にて第１の部材から第２の表面までの第２の距離を求める段階と、第１の距離と第２の距離とを比較する段階と、を含む。
【００１３】
本方法は更に、第１の表面又は第２の表面上にある第３の位置にてゲージを位置決めして起動し、形成溶接を分析する段階を含むことができる。本方法は更に、第１の表面又は第２の表面上にあり且つ第３の位置とは異なる表面上にある第４の位置にてゲージを位置決めして起動し、形成溶接を分析する段階を含むことができる。本方法は更に、少なくとも第１の距離、第２の距離、及び第３の距離を記録する段階を含むことができる。本方法は更に、少なくとも第１の距離、第２の距離、及び第３の距離間の相対位置を記録する段階を含むことができる。溶接がオフセットしているか否かを判定することは、同一平面上の外形を確認することを含むことができる。
【００１４】
本開示の１つの利点は、溶接が望ましくないものであるか否かを判定できることを含む。
【００１５】
本開示の別の利点は、溶接が所望の機械的特性を有することを確認できることを含む。
【００１６】
本開示の別の利点は、使用中の組み立てられた風力タービンに対する溶接の現場での分析を含む。
【００１７】
本開示の別の利点は、各表面に１つだけの部材が接触することに起因する安定性が加わることによって測定の完全性が向上することである。
【００１８】
本開示の別の利点は、平面的及び非平面的外形の溶接部を測定できることである。
【００１９】
本開示の別の利点は、安価で信頼性のある簡単なプロセスで形成溶接を分析できることである。
【００２０】
本発明の他の特徴及び利点は、例証として本発明の原理を示す添付図面を参照しながら、以下の好ましい実施形態のより詳細な説明から明らかになるであろう。
【図面の簡単な説明】
【００２１】
【図１】風力タービンの側面図。
【図２】第１の位置における溶接分析装置の例示的な実施形態の側面図。
【図３】第２の位置における溶接分析装置の例示的な実施形態の側面図。
【図４】第１の位置において円筒形表面上に装着された溶接分析装置の例示的な実施形態の側面図。
【図５】第２の位置において円筒形表面上に装着された溶接分析装置の例示的な実施形態の側面図。
【図６】平面的な表面を形成することを意図した、溶接分析装置の例示的な実施形態の拡大概略図。
【図７】円筒形表面を形成することを意図した、溶接分析装置の例示的な実施形態の拡大概略図。
【図８】溶接分析方法の例示的な実施形態の概略図。
【発明を実施するための形態】
【００２２】
可能である場合、図面全体にわたって同じ又は同様の要素を示すために同じ参照具号が使用される。
【００２３】
図１に示すように、風力タービンシステム１００は一般に、発電機（図示せず）を収容するナセル１０２を含む。ナセル１０２は、タワー１０４の上に装着されたハウジングとすることができる。風力タービンシステム１００は、望ましい風況を有する区域にアクセスできる種々のタイプの地形に設置することができる。地形は大きく変わる可能性が有り、限定ではないが、山岳地形又は洋上位置を含むことができる。風力タービンシステム１００はまた、回転ハブ１１０に取り付けられた１つ又はそれ以上のロータブレード１０８を含むことができる。システム１００は、ロータブレード１０８の回転を電力に変換する発電機を含むことができる。
【００２４】
タワー１０４は、溶接１１４により第２の部分１１２に固定される第１の部分１０９を含むことができる。本明細書で記載される溶接は形成溶接である。本明細書で使用される用語「形成溶接」は、加熱、超音波溶接、及び他の何れかの好適な溶接プロセスを通じて形成される溶接を含む。例えば、加熱により生成された形成溶接は、冷却溶接とすることができる。図示のように、第１の部分１０９は、第２の部分１１２を支持するよう構成される。第１の部分１０９及び第２の部分１１２は、弓形、円筒形、又はその一部とすることができる。１つの実施形態において、第１の部分１０９、第２の部分１１２、及び他の部分は、円錐、又は円錐台の外形を有するタワー１０４を形成する。他の実施形態では、タワー１０４は、他の好適な外形を有してもよく、これにより様々な外形を有する表面を溶接１１４に隣接してもたらすことができる。タワー１０４の外形は、溶接部１１４を含むことができる複数の輪郭を形成する。例えば、第１の部分１０９が第２の部分１１２に溶接される１つの実施形態では、溶接部１１４は、湾曲した輪郭（図２及び３を参照）を有することができる。この実施形態では、隣接表面は別個の基材とすることができる。例えば、別個の基材は、異なる材料及び／又は異なる要素とすることができる。本明細書で使用される用語「隣接した」とは、近接又は近隣の構造物を指している。例えば、隣接した表面は、ある表面に溶接されることが意図されたあらゆる表面を含む。第１の部分１０９が円筒形であり且つ溶接されて円筒形の外形を形成する１つの実施形態では、溶接部１１４は、実質的に平面的な輪郭を有することができ、隣接した表面は、湾曲して円筒体又は円筒体の一部を形成する（図４及び５を参照）。この実施形態では、隣接した表面は同じ基材とすることができる（例えば、円筒体に形成されてそれ自体に溶接されるよう構成された金属基材）。他の実施形態では、溶接部１１４は、隣接した表面の他の形状／外形により形成される他の輪郭を有することができる。
【００２５】
図２を参照すると、溶接部１１４を分析する装置２０２が図示されている。溶接部１１４を分析する装置２０２において、好ましくは溶接部１１４が形成される。装置２０２は、ゲージ２０６を受けるように構成された第１の部材２０４を含む。ゲージ２０６は、距離を測定するための機械装置又は電気装置とすることができる。例えば、ゲージ２０６は、機械的又は電気的な深度測定装置又はピットゲージとすることができる。第１の部材２０４は、ゲージ２０６を調整可能及び／又は解除可能に固定する、スロット、チャンネル、表面又は他の構造のような保持機構２０５を含む。第２の部材２０８は、第１の部材２０４に取り付け又は他の方法で固定することができる。第２の部材２０８は、溶接部１１４の第１の側部２１２上の第１の表面２１０に解除可能に固定することができる。１つの実施形態では、第２の部材２０８は、磁石により解除可能に固定することができる。第３の部材２１４は、溶接部１１４の第２の側部２１８上の第２の表面２１６に解除可能に固定することができる。加えて又は代替的に、第３の部材２１４は、磁石により解除可能に固定することができる。第２の部材２０８及び／又は第３の部材２１４は、磁石により金属表面に固定及び／又は取り付けることができる。金属表面は、限定ではないが、タワー１０４を含む構造体の一部又は全てを形成することができる。１つの実施形態では、第２の部材２０８及び第３の部材２１４は実質的に同じである。別の実施形態では、第２の部材２０８及び／又は第３の部材２１４は、第１の部材２０４と一体化されてもよい。装置２０２を３つの部材２０４、２０８、２１４に限定することにより、付加的な輪郭を備えた表面の測定を可能にすることができる。３つよりも多い部材を含めると、一貫性のない測定が生じる可能性がある。例えば、部材が３つよりも多いと装置を不安定にする場合があり、及び／又は特定の部材が基材に不適切に取り付け及び／又は固定される可能性が高くなる。
【００２６】
図２及び３を参照すると、装置２０２は、ゲージ２０６を第１の部材２０４に沿って複数の位置に位置付けることにより溶接部１１４を分析するよう構成される。１つの実施形態では、複数の位置は、第１の位置２２０及び第２の位置２２２を含む。第１の位置２２０は、第２の部材２０８に近接し、第３の部材２１４から遠位にあることができる。第２の位置２２２は、第３の部材２１４に近接し、第２の部材２０８から遠位にあることができる。１つの実施形態では、第２の部材２０８は、複数の第１の表面位置において第１の表面２１０に解除可能に固定され及び／又は当接するよう構成することができる。加えて又は代替的に、第３の部材２１４は、複数の第２の表面位置において第２の表面２１６に解除可能に固定され及び／又は当接するよう構成することができる。従って、第２の部材２０８及び／又は第３の部材２１４は、表面に沿って選択的に位置付けることができる。
【００２７】
第１の部材２０４に沿った位置にてゲージ２０６を起動させることによって、第１の部材２０４と表面との間の距離を測定することができる。１つの実施形態では、ゲージ２０６の起動は、ゲージ２０６を位置決めすることにより行うことができる。別の実施形態では、ゲージ２０６の起動は、ゲージ２０６上のボタンを押下することにより行うことができる。第１の距離２２４は、第１の位置２２０において第１の部材２０４と第１の表面２１０との間で測定することができる。第２の距離３０２は、第２の位置２２２において第１の部材２０４と第２の表面２１６との間で測定することができる。上述のように、第１の表面２１０及び／又は第２の表面２１６は、別個の基材でも、又は同じ基材であってもよい。１つの実施形態では、第３の距離３０４は、第３の位置３０６においてゲージ２０６を起動させることにより測定することができる。第３の位置３０６は、第１の表面２１０又は第２の表面２１６上にあることができるが、第１の位置２２０、第２の位置２２２、又は溶接部１１４にはない。別の実施形態では、第４の距離３０８は、第４の位置３１０にてゲージ２０６を起動することによって測定することができる。第４の位置３１０は、第１の表面２１０又は第２の表面２１６上にあることができるが、第１の位置２２０、第２の位置２２２、第３の位置３０６、又は溶接部１１４にはない。理解されるように、より多くの位置での測定は、溶接部１１４の更なる分析を可能にすることができるが、無用なコスト及び時間を排除するために測定値の数を制限することが望ましい。
【００２８】
第１の表面２１０及び第２の表面２１６が実質的に同一平面上にあり、溶接部１１４が表面を接合することによりほぼ平面的な大きな表面を形成することが意図された場合には、第１の距離２２４の測定値は、第２の距離３０２と比較して、溶接部１１４がオフセットされているか、又は望ましくないかどうかを示すことができる。本明細書で使用される用語「オフセット」又は位置ずれしたとは、同一平面上にあることが意図された２つの表面の隣接縁部間の関係が同一平面上にないこと、或いは、所定の外形（例えば、円筒体）を形成することが意図された２つの表面の隣接縁部間の関係が所定の外形を形成しないことを意味する。溶接部１１４がオフセットしている場合、第１の距離２２４及び第２の距離３０２は異なることができる。溶接部１１４がオフセットしていることを確認するために、第１の距離２２４、第２の距離３０２、及び第３の距離３０４を比較することができる。第１の距離２２４、第２の距離３０２、及び第３の距離３０４が全て同じであり、第１の表面２１０及び第２の表面２１６が実質的に同一平面上にある場合、溶接部１１４はオフセットしていない。
【００２９】
図４及び５を参照すると、装置２０２は、隣接した表面が同一平面上にないときに溶接部１１４を分析するのに用いることができる。１つの実施形態では、第１の表面２１０及び第２の表面２１６は、円筒体又は他の湾曲構造体の一部とすることができる。第１の表面２１０及び第２の表面２１６が円筒体の一部であり、溶接部１１４が表面を接合してこれにより円筒体の大きな部分（又は完全な円筒体）を形成することが意図されている場合、第３の距離３０４（第３の距離３０４は第１の表面２１０上にある）に対する第１の距離２２４の測定値は、第４の距離３０８（第４の距離３０８は第２の表面２１６上にある）に対する第２の距離３０２に比較して、溶接部１１４がオフセットしているか否かを判定することができる。溶接部１１４がオフセットしているか否かを判定するために、第１の位置２２０と第３の位置３０６との間の第１の距離４０２を求める必要があり、第２の位置２２２と第４の位置３１０との間の第２の距離５０２を求める必要がある。この情報は、比較され、記録され、溶接部１１４がオフセットしているか否かを示す多数の数学的計算に入力することができる。
【００３０】
第１の表面２１０及び第２の表面２１６が円筒形又は平面的ではない外形を形成する実施形態では、追加の測定を実施することができる。追加の測定は、各位置の溶接部１１４からの相対距離、表面のスロープ、及び／又は溶接部１１４の厚みを含むことができる。他の実施形態では、装置２０２用のゲージ２０６は、溶接部１１４がオフセットしているか否かを計算することができる。
【００３１】
図６は、第１の表面２１０及び第２の表面２１６が平面的な大きな表面を形成することを意図した、例示的なオフセット溶接部１１４における装置２０２の１つの実施形態の拡大概略図を示す。図６に示すように、第１の距離２２４、第２の距離３０２、第３の距離３０４、及び第４の距離３０８は異なる。従って、図６に示す溶接部１１４はオフセットしている。
【００３２】
図７は、第１の表面２１０及び第２の表面２１６が円筒形又は他の湾曲した表面の一部を形成することを意図した、例示的なオフセット溶接部１１４における装置２０２の１つの実施形態の拡大概略図を示す。図７に示すように、第１の距離２２４、第２の距離３０２、第３の距離３０４、及び第４の距離３０８は異なる。従って、図７に示す溶接部１１４はオフセットしている。
【００３３】
図８は、溶接部１１４を分析して該溶接部１１４がオフセットしているか否かを判定する例示的な方法８００を示している。方法８００は、装置２０６を準備する段階（ボックス８０２）と、ゲージ２０６を第１の位置２２０に位置決めして起動し第１の距離を求める段階（ボックス８０４）と、ゲージ２０６を第２の位置２２２に位置決めして起動し第２の距離を求める（ボックス８０６）段階と、第１の位置２２０における第１の部材２０４から第１の表面２１０までの第１の距離２２４を、第２の位置２２２における第１の部材２０４から第２の表面２１６までの第２の距離３０２と比較する（ボックス８０８）段階と、を含む。第１の距離２２４が第２の距離３０２と異なるかどうかの判定（ボックス８１０）により、溶接部１１４がオフセットしているか否かの判定を可能にすることができる。第１の距離２２４が第２の距離３０２と異なり（ボックス８１０において「はい」）、目的とする外形が同一平面上のものとして確認された（ボックス８１２）場合、溶接部１１４はオフセットしているとみなすことができる（ボックス８１４）。
【００３４】
溶接部１１４がオフセットしていないと確認された場合、基材の外形によっては、本方法８００は、第３の位置３０６にゲージ２０６を位置決めして作動させ、第３の距離３０４を求める段階（ボックス８１５）を更に含むことができる。第１の距離２２４が第２の距離３０２に等しい（ボックス８１０において「いいえ」）ことに応答して、第３の距離３０４が第１の距離２２４と比較される（ボックス８１６）。第１の距離２２４が第３の距離３０４と異なるか否かを判定する（ボックス８１８）ことによって、溶接部１１４がオフセットしているか否かを判定可能にすることができる。第１の距離２２４が第３の距離３０４と異なり（ボックス８１８において「いいえ」）、目的とする外形が同一平面上のものとして確認された（ボックス８１２）場合、溶接部１１４はオフセットしているとみなすことができる（ボックス８１４）。第１の距離２２４が第３の距離３０４（ボックス８１８において「いいえ」）と等しく、目的とする外形が同一平面上のものとして確認された（ボックス８２０）場合、溶接部１１４はオフセットしていないとみなすことができる（ボックス８２２）。他の実施形態では、追加の外形（例えば、弓形又は円筒形外形）により、第４の位置３１０にゲージ２０６を位置決めし起動させて第４の距離３０８を求め、第１の距離２２４、第２の距離３０２、第３の距離３０４、及び／又は第４の距離３０８を記録し、及び／又は少なくとも各位置間の相対位置を記録することで、溶接部１１４がオフセットしているか否かを判定可能にすることができる。追加の測定が望ましいか否かの判定は、第１の表面２１０、第２の表面２１６、及び溶接部１１４により形成されることが意図された外形間の数学的／幾何学的関係に基づいている。風力タービン１００のタワー１０４において、表面から測定値を取得し、これにより溶接部１１４がオフセットしていないことを周期的に確認できるようにする設計モデルに基づいて、指定外形を求めることができる。
【００３５】
本開示事項は、典型的な実施形態において図示し説明してきたが、本開示の技術的思想から逸脱することなく、種々の修正形態及び置き換えを可能とすることができることから、図示の詳細事項に限定されることを意図するものではない。加えて、本発明の本質的な範囲から逸脱することなく、特定の状況又は物的事項を本発明の教示に適合するように多くの修正を行うことができる。従って、本発明は、本発明を実施するために企図される最良の形態として開示した特定の実施形態に限定されるものではなく、また本発明は、提出した請求項の技術的範囲内に属する全ての実施形態を包含することになるものとする。
【符号の説明】
【００３６】
１１４  溶接部
２０２  分析装置
２０４  第１の部材
２０５  保持機構
２０６  ゲージ
２０８  第２の部材
２１０  第１の表面
２１２  第１の側部
２１４  第３の部材
２１６  第２の表面
２１８  第２の側部
２２０  第１の位置
２２２  第２の位置
２２４  第１の距離
【図１】
2011017702.tif 000003
【図２】
2011017702.tif 000004
【図３】
2011017702.tif 000005
【図４】
2011017702.tif 000006
【図５】
2011017702.tif 000007
【図６】
2011017702.tif 000008
【図７】
2011017702.tif 000009
【図８】
2011017702.tif 000010